(57)【要約】  光照射装置は、波長が２００ｎｍ以下であって光源を頂点とした円錐状の光路をとる真空紫外光をウェハＷに向けて照射する複数の重水素ランプと、複数の重水素ランプから照射される真空紫外光の照射範囲の重なり部分を遮光するように、各重水素ランプに対応して設けられた多角形筒と、を備え、多角形筒は、真空紫外光の進行方向から見て多角形状に形成されている。
2019131144.tif 000002
【特許請求の範囲】
【請求項１】
光源を頂点とした円錐状の光路をとる真空紫外光を基板に向けて照射する複数の光照射部と、
前記複数の光照射部から照射される前記真空紫外光の照射範囲の重なり部分を遮光するように、各光照射部に対応して設けられた遮光部と、を備え、
前記遮光部は、前記真空紫外光の進行方向から見て多角形状に形成されている、光照射装置。
【請求項２】
前記遮光部は、前記真空紫外光の進行方向に延びて筒状に形成された筒状遮光部材を有する、請求項１記載の光照射装置。
【請求項３】
前記筒状遮光部材は、前記光照射部及び前記基板間の略全域にわたって、前記進行方向に延びている、請求項２記載の光照射装置。
【請求項４】
前記筒状遮光部材は、前記光照射部及び前記基板間において、前記基板寄りの位置に設けられている、請求項２記載の光照射装置。
【請求項５】
前記筒状遮光部材は、前記光照射部及び前記基板間の全長の半分以下の長さである、請求項４記載の光照射装置。
【請求項６】
前記遮光部は、板状に形成された板状遮光部材を有する、請求項１〜５のいずれか一項記載の光照射装置。
【請求項７】
前記遮光部は、前記真空紫外光の進行方向に延びて筒状に形成されると共に前記光照射部及び前記基板間において前記基板寄りの位置に設けられた筒状遮光部材と、板状に形成された板状遮光部材とを有し、
前記板状遮光部材は、前記筒状遮光部材の下方に設けられている、請求項１記載の光照射装置。
【請求項８】
前記板状遮光部材は、前記筒状遮光部材の下端に接するように設けられている、請求項７記載の光照射装置。
【請求項９】
前記板状遮光部材は、前記進行方向から見て、光を通す領域の大きさが前記筒状遮光部材よりも小さい、請求項８記載の光照射装置。
【請求項１０】
前記板状遮光部材は、前記筒状遮光部材の下端から離間するように設けられている、請求項７記載の光照射装置。
【請求項１１】
前記遮光部の前記基板との離間距離を調整する離間距離調整部を更に備える、請求項１〜１０のいずれか一項記載の光照射装置。
【請求項１２】
前記光照射部は、重水素ランプを含んで構成されている、請求項１〜１１のいずれか一項記載の光照射装置。
【請求項１３】
前記重水素ランプは、波長が２００ｎｍ以下の真空紫外光を発生させる、請求項１２記載の光照射装置。
【請求項１４】
前記重水素ランプは、波長が１６０ｎｍ以下の真空紫外光を発生させる、請求項１３記載の光照射装置。
【請求項１５】
前記複数の光照射部は、照射する前記真空紫外光の照度値、照射する前記真空紫外光の光線角度、及び前記基板との離間距離の少なくとも一つが互いに異なる、請求項１〜１４のいずれか一項記載の光照射装置。
【請求項１６】
前記遮光部の上方において前記真空紫外光を拡散させる拡散部を更に備える、請求項１〜１５のいずれか一項記載の光照射装置。
【請求項１７】
前記基板の照射面を前記光照射部に対向させた状態で前記基板を回転させる基板回転部を更に備える、請求項１〜１６のいずれか一項記載の光照射装置。
【請求項１８】
前記遮光部又は前記基板を、前記基板の照射面に平行な方向に往復移動させる平行移動部を更に備える、請求項１〜１７のいずれか一項記載の光照射装置。
【請求項１９】
前記遮光部は、真空紫外光の反射率が９０％以下の材質によって構成されている、請求項１〜１８のいずれか一項記載の光照射装置。
【発明の詳細な説明】
【技術分野】
【０００１】
本開示は、基板に光を照射する光照射装置に関する。
【背景技術】
【０００２】
特許文献１には、半導体デバイスの製造プロセスにおいて、基板の表面にレジスト膜を形成する工程と、露光する工程と、レジストをパターニングする工程と、レジストの前面に波長２００ｎｍ以下の光を照射する工程と、レジスト膜の下層膜のエッチングを行う工程と、を順に行うことが記載されている。波長２００ｎｍ以下の光を照射する工程（以下、単に光を照射する工程という。）は、例えばレジスト膜のラフネス（凸凹）を改善することを目的として行われる。
【先行技術文献】
【特許文献】
【０００３】
【特許文献１】特許第３３４２８５６号公報
【発明の概要】
【発明が解決しようとする課題】
【０００４】
直径３００ｍｍ程度の基板に対して上述した光を照射する工程を実施する場合には、照射距離を短くしつつ照射強度を担保する観点から、複数のランプが基板上に配置される。ここで、各ランプは点光源であり、ウェハにおける照射範囲は円形となる。照射範囲が円形である場合には、各ランプの照射範囲が重ならないように各ランプを配置すると、光が照射されない（あるいは照射強度が弱くなる）部分が生じてしまう。一方で、照射強度が弱くなる部分が生じないようにするためには、各ランプの照射範囲の一部を重ねる必要があり、この場合には重なる部分の照射強度が極端に強くなることが問題となる。以上のように、基板に対して複数のランプにより光を照射する構成においては、基板の照射面に均一に光を照射することが難しい。【０００５】
そこで、本開示は、基板の照射面における光照射分布の均一性を向上させることが可能な光照射装置を説明する。
【課題を解決するための手段】
【０００６】
本開示の一態様に係る光照射装置は、光源を頂点とした円錐状の光路をとる真空紫外光を基板に向けて照射する複数の光照射部と、複数の光照射部から照射される真空紫外光の照射範囲の重なり部分を遮光するように、各光照射部に対応して設けられた遮光部と、を備え、遮光部は、真空紫外光の進行方向から見て多角形状に形成されている。【０００７】
本開示の光照射装置では、円錐状の光路をとって基板に向けて照射される複数の真空紫外光の重なり部分が、各光照射部に対応して設けられた多角形状の遮光部によって遮光されている。ここで、基板における照射範囲が円形となる複数の点光源から基板に光が照射される場合、各光の照射範囲が重ならないように各点光源を配置すると、照射範囲が円形であることから光が照射されない部分（あるいは照射強度が弱くなる部分）が生じてしまう。一方で、光が照射されない部分（あるいは照射強度が弱くなる部分）が生じないようにするためには、各点光源から照射される光の照射範囲の一部を重ねる必要があり、この場合には重なる部分の照射強度が極端に強くなることが問題となる。このように、従来、基板に対して複数の光源から光を照射する構成においては、基板の照射面に均一に光を照射することが困難であった。この点、本開示の光照射装置では、複数の真空紫外光の重なり部分を遮光する遮光部が真空紫外光の進行方向からみて多角形状に形成されている。これにより、基板における各真空紫外光の照射範囲が多角形状となる。このことで、照射範囲が円形である場合と異なり、照射範囲が重ならないようにしつつ光が照射されない部分（あるいは照射強度が弱くなる部分）が生じることを抑制できる。すなわち、本開示の光照射装置によれば、基板の照射面における光照射分布の均一性を向上させることができる。【０００８】
遮光部は、真空紫外光の進行方向に延びて筒状に形成された筒状遮光部材を有していてもよい。光照射部に対応して設けられた遮光部が高さ方向（真空紫外光の進行方向）に伸びて筒状に形成されていることにより、当該遮光部が対応する光照射部以外の光照射部（例えば隣の光照射部）からの真空紫外光の影響を適切に排除することができる。すなわち、他の光照射部の真空紫外光と照射範囲が重なることを適切に防止し、基板の照射面における光照射分布の均一性をより向上させることができる。【０００９】
遮光部の基板との離間距離を調整する離間距離調整部を更に備えていてもよい。遮光部（特に筒状の遮光部）が設けられることにより、当該遮光部の影が基板の照射面に投影されてしまい、当該影によって基板の照射面における光照射分布の均一性が悪化するおそれがある。この点、遮光部の高さ（基板との離間距離）が離間距離調整部によって調整されることにより、例えば隣り合う遮光部からの基板への照射光の広がりを調整することができ、照射光を互いに重ねあうこと等により影となる部分を解消することができる。【００１０】
光照射部は、重水素ランプを含んで構成されていてもよい。重水素ランプが用いられることにより、波長が２００ｎｍ以下の真空紫外光に加えて、波長が２００ｎｍよりも大きい近紫外光についても基板に対して照射することができる。このように、重水素ランプから照射される光のスペクトルの波長域は比較的広いため、例えば基板の表面にレジストパターンが形成されている場合において、当該レジストパターンは様々な波長の光のエネルギーを受けることとなる。これにより、レジストパターンの表面においては様々な反応が起こることによって流動性が高くなり、その結果、当該表面の荒れの改善効果を向上させることができる。【００１１】
重水素ランプは、波長が２００ｎｍ以下、例えば、波長が１６０ｎｍ以下の真空紫外光を発生させてもよい。重水素ランプでは、例えば１６０ｎｍ以下が連続スペクトルのピークの波長となるため、当該１６０ｎｍ以下の真空紫外光を発生させることによって、例えば基板の表面にレジストパターンが形成されている場合において、表面の荒れの改善効果をより向上させることができる。【００１２】
複数の光照射部は、照射する真空紫外光の照度値、照射する真空紫外光の光線角度、及び基板との離間距離の少なくとも一つが互いに異なっていてもよい。このように、複数の光照射部について、照度値、光線角度、又は光照射部の高さ（基板との離間距離）を互いに異ならせることによって、照射分布を積極的に調整することができ、照射状況に応じて、基板の照射面における光照射分布の均一性をより向上させることができる。【００１３】
遮光部の上方において真空紫外光を拡散させる拡散部を更に備えていてもよい。照射光は光源（ランプ）の内部電極構造に由来して強度のばらつきが存在する。この点、遮光部の上方に拡散部が設けられていることにより、照射光のばらつきが平均化され、基板の照射面における光照射分布の均一性をより向上させることができる。【００１４】
基板の照射面を光照射部に対向させた状態で基板を回転させる基板回転部を更に備えていてもよい。これにより、照射場所が変化することとなるので、照射面における光照射分布の均一性をより向上させることができる。【００１５】
遮光部又は基板を、基板の照射面に平行な方向に往復移動させる平行移動部を更に備えていてもよい。この場合においても、照射場所が変化することとなるので、照射面における光照射分布の均一性をより向上させることができる。なお、照射面に平行な方向に往復移動させる態様においては、基板を回転させる態様と異なり、照射場所が変化しない部分（例えば回転中心）が生じにくい。また、遮光部は、真空紫外光の反射率が９０％以下の材質によって構成されていてもよい。【００１６】
筒状遮光部材は、前記光照射部及び前記基板間の略全域にわたって、前記進行方向に延びていてもよい。これにより、他の光照射部の真空紫外光と照射範囲が重なることをより適切に抑制することができる。【００１７】
筒状遮光部材は、光照射部及び基板間において、基板寄りの位置に設けられていてもよい。真空紫外光を用いる場合には、真空ポンプによって真空引きをして処理室内を低酸素状態とする必要がある。筒状遮光部材が光照射部及び基板間の略全域に設けられている場合には、処理室内において真空ポンプによる排気が行いにくくなり、上述した真空引きを円滑に行うことができないおそれがある。この点、筒状遮光部材が基板寄りの領域に（のみ）設けられることにより、筒状遮光部材を光照射部及び基板間の略全域に設ける場合と比較して、上述した真空引きを行いやすくすることができる。【００１８】
筒状遮光部材は、前記光照射部及び前記基板間の全長の半分以下の長さであってもよい。これにより、処理室内の真空引きをより行いやすくすることができる。【００１９】
遮光部は、板状に形成された板状遮光部材を有していてもよい。このように、板状の薄い部材が遮光部材として用いられることにより、処理室内での真空ポンプによる排気を阻害することなく、適切に処理室内の真空引きを行うことができる。【００２０】
遮光部は、真空紫外光の進行方向に延びて筒状に形成されると共に光照射部及び基板間において基板寄りの位置に設けられた筒状遮光部材と、板状に形成された板状遮光部材とを有し、板状遮光部材は、筒状遮光部材の下方に設けられていてもよい。このように筒状遮光部材と板状遮光部材を組み合わせて用いることにより、筒状遮光部材によって真空紫外光の照射範囲が重なることを適切に抑制しつつ、筒状遮光部材の下方に設けられた板状遮光部材によって真空紫外光の照射範囲を適切に限定することができる。また、板状遮光部材を用いることによって、筒状遮光部材の長さを短くすることができ、真空ポンプによる排気を適切に行い処理室内の真空引きを適切に行うことができる。【００２１】
板状遮光部材は、筒状遮光部材の下端に接するように設けられていてもよい。これにより、筒状遮光部材と板状遮光部材との間から真空紫外光が漏れ出すことを抑制し、真空紫外光の照射範囲が重なることを適切に抑制することができる。【００２２】
板状遮光部材は、進行方向から見て、光を通す領域の大きさが筒状遮光部材よりも小さくてもよい。これにより、板状遮光部材によって真空紫外光の照射範囲を適切に限定することができる。【００２３】
板状遮光部材は、筒状遮光部材の下端から離間するように設けられていてもよい。これにより、真空ポンプによる真空引きをより適切に行うことができる。
【発明の効果】
【００２４】
本開示によれば、基板の照射面における光照射分布の均一性を向上させることができる。
【図面の簡単な説明】
【００２５】
【図１】本実施形態の基板処理装置を示す模式図である。
【図２】図１の基板処理装置の光照射装置を示す模式図である。
【図３】光照射装置の照射範囲を示す説明図である。
【図４】比較例に係る光照射装置の説明図である。
【図５】変形例に係る光照射装置を示す模式図である。
【図６】変形例に係る光照射装置を示す模式図である。
【図７】変形例に係る光照射装置を示す模式図である。
【図８】変形例に係る光照射装置を示す模式図である。
【図９】変形例に係る光照射装置を示す模式図である。
【図１０】変形例に係る光照射装置を示す模式図である。
【図１１】変形例に係る光照射装置の照射範囲を示す説明図である。
【図１２】変形例に係る光照射装置を示す模式図である。
【図１３】変形例に係る照射部を示す模式図である。
【図１４】変形例に係る光照射装置を示す模式図である。
【図１５】変形例に係る光照射装置を示す模式図である。
【発明を実施するための形態】
【００２６】
本発明の実施形態について図面を参照して説明するが、以下の本実施形態は、本発明を説明するための例示であり、本発明を以下の内容に限定する趣旨ではない。説明において、同一要素又は同一機能を有する要素には同一符号を用いることとし、重複する説明は省略する。
【００２７】
［基板処理装置の構成］
図１は、本実施形態の基板処理装置を示す模式図（縦断側面図）である。図１に示す基板処理装置１は、ウェハＷ（基板）に対して所定の処理を行う装置である。ウェハＷは、円板状を呈するが、円形の一部が切り欠かれていたり、多角形などの円形以外の形状を呈するウェハを用いてもよい。ウェハＷは、例えば、半導体基板、ガラス基板、マスク基板、ＦＰＤ（Flat Panel Display）基板その他の各種基板であってもよい。本実施形態では、基板処理装置１が、ウェハＷに光を照射することにより、ウェハＷの表面に形成されたレジストパターンの表面の荒れを改善する装置であるとして説明する。なお、当該レジストパターンは、ウェハＷに形成されたレジスト膜が露光され、現像されることにより形成されるものである。
【００２８】
図１に示すように、基板処理装置１は、処理容器２１と、載置台２０と、筐体４３と、光照射装置４と、を備える。なお、図１においては、光照射装置４に含まれる構成の一部のみを示している。
【００２９】
処理容器２１は、例えば大気雰囲気中に設けられた真空容器であり、搬送機構（不図示）によって搬送されたウェハＷを収納する容器である。基板処理装置１では、処理容器２１内にウェハＷが収納された状態でウェハＷに対する処理が行われる。処理容器２１の側壁には、搬送口２２が形成されている。搬送口２２は、処理容器２１に対してウェハＷを搬入出するための開口である。搬送口２２は、ゲートバルブ２３によって開閉される。
【００３０】
載置台２０は、処理容器２１内に設けられた円形の台である。載置台２０は、その中心にウェハＷの中心が重なるようにしてウェハＷを水平に載置する。載置台２０を厚さ方向（垂直方向）に貫通するようにして、例えば３本の昇降ピン（不図示）が設けられている。当該昇降ピンは、その下端が昇降機構（不図示）に接続されており、昇降機構によって垂直方向に移動（昇降）可能とされている。昇降ピンは、昇降機構によって上昇した状態において、その上端が載置台２０の上面よりも上方に達し、搬送口２２を介して処理容器２１内に進入した搬送機構（不図示）との間でウェハＷの受け渡しを行う。
【００３１】
筐体４３は、処理容器２１の上部に設けられている。筐体４３は、光照射装置４の複数の重水素ランプ４０（光照射部）を収容している。光照射装置４は、レジストパターンの表面の荒れ（凸凹）の改善を目的とした、ウェハＷの表面への光の照射に係る構成である。以下、図２及び図３も参照しながら、光照射装置４の詳細について説明する。
【００３２】
［光照射装置の構成］
図２は、図１の基板処理装置１の光照射装置４を示す模式図である。図３は、光照射装置４の照射範囲を示す説明図（照射範囲を平面視した図）である。図２に示すように、光照射装置４は、複数の重水素ランプ４０（光照射部）と、複数の多角形筒５０（筒状遮光部材）と、を備えている。
【００３３】
重水素ランプ４０は、波長が２００ｎｍ以下の真空紫外光をウェハＷに向けて照射する。より詳細には、重水素ランプ４０は、例えば１１５ｎｍ〜４００ｎｍの波長の光、すなわち１１５ｎｍ〜４００ｎｍの連続スペクトルをなす光を照射する。上述したように、重水素ランプ４０から照射される光には真空紫外光（Vacuum Ultra Violet Light：ＶＵＶ光）、すなわち波長が１０ｎｍ〜２００ｎｍである光が含まれる。また、重水素ランプ４０から照射される光には、真空紫外光（真空紫外線）の他に、波長が２００ｎｍよりも大きい近紫外光（近紫外線）についても含まれる。本実施形態の重水素ランプ４０から照射される光の連続スペクトルのピークの波長は、例えば１６０ｎｍ以下、１５０ｎｍ以上である。
【００３４】
このように、重水素ランプ４０から照射される光のスペクトルの波長域は比較的広いため、ウェハＷ表面のレジストパターンは様々な光のエネルギーを受けることとなり、その結果として当該レジストパターンの表面では様々な反応が起こる。具体的には、レジスト膜を構成する分子中の様々な位置における化学結合が切断されて様々な化合物が生成されるため、光照射前にレジスト膜に存在していた分子が持つ配向性が解消され、レジスト膜の表面自由エネルギーが低下し、内部応力が低下する。すなわち、光源として重水素ランプ４０を用いることにより、レジストパターンの表面の流動性が高くなり、その結果としてウェハＷの表面の荒れの改善効果を向上させることができる。
【００３５】
ここで、レジスト膜に照射される光については、波長が大きいほどレジスト膜の深層へ到達しやすい。この点、重水素ランプ４０から照射される光のスペクトルのピークの波長は、上述したように真空紫外光の帯域（１０ｎｍ〜２００ｎｍ）に含まれているため、重水素ランプ４０から照射される光について、比較的大きい波長を持つ光の強度は小さい。このため、重水素ランプ４０から照射される光でレジスト膜の深層へ到達するものは少なく、レジスト膜の深層においては上記の分子の結合の切断を抑えることができる。すなわち、光源として重水素ランプ４０を用いることにより、レジストパターンにおいて光照射により反応する領域を表面側に限定することができる。
【００３６】
重水素ランプ４０は、ガウシアン分布の光と比較して強度分布がフラットなトップハット型の光を生成する。なお、トップハット型の光であっても、強度分布が完全にフラットになっているわけではなく、中央側（光源４１の直下）から離れるにしたがって光の強度が弱くなる。重水素ランプ４０は、点光源である光源４１（図１参照）から出射される広がりを持った光を照射し、具体的には、光源４１を頂点とした円錐状の光路をとる真空紫外光をウェハＷに向けて照射する。このように、重水素ランプ４０から照射される光は、遮光等を行わない場合には、照射面において照射範囲が円形となるものであるが、後述する多角形筒５０によって一部が遮光されることにより、ウェハＷの照射面においては、照射範囲が多角形状（本実施形態の例では六角形状）となる（詳細は後述）。なお、図１及び図２等においては、真空紫外光の光路のうち最も外側の光路が一点鎖線で示されている。
【００３７】
光照射装置４は、複数の重水素ランプ４０を備えている。各重水素ランプ４０は、ウェハＷの照射面における光照射分布が均一になるように、所定の間隔で配置されている。例えば、図３に示すように、ウェハＷの中心の直上に１つの重水素ランプ４０が設けられるとともに、円板状のウェハＷの円周上（詳細には円周の少し内側）に沿って等間隔で６個の重水素ランプ４０が設けられる。なお、重水素ランプ４０と多角形筒５０との間には、シャッター（不図示）が設けられていてもよい。なお、複数の重水素ランプ４０は、互いに、照射する真空紫外光の照度値、照射する真空紫外光の光線角度、及びウェハＷとの離間距離が同一とされる。
【００３８】
多角形筒５０は、複数の重水素ランプ４０から照射される真空紫外光の照射範囲の重なりを遮光するように、各重水素ランプ４０に対応して設けられた遮光部である。多角形筒５０は、重水素ランプ４０から照射される真空紫外光の端部領域の発光を除去（吸収、カット）することにより、複数の重水素ランプ４０から照射される真空紫外光の照射範囲の重なりを遮光するものであってもよい。多角形筒５０が重水素ランプ４０に対応して設けられているとは、多角形筒５０が重水素ランプ４０に一対一で対応し、重水素ランプ４０の光源４１の直下に設けられていることをいう（図３参照）。より具体的には、多角形筒５０は、真空紫外光の進行方向から見て、その中心軸上に光源４１が位置するように設けられている。多角形筒５０は、重水素ランプ４０及びウェハＷ間の略全域にわたって、真空紫外光の進行方向に延びている。重水素ランプ４０及びウェハＷ間の略全域とは、少なくとも重水素ランプ４０及びウェハＷ間の全長の半分以上の長さである。多角形筒５０は、重水素ランプ４０及びウェハＷ間の略全域にわたって延びていることによって、他の重水素ランプ４０の真空紫外光と照射範囲が重なることを適切に抑制することができる。
【００３９】
多角形筒５０は、真空紫外光の進行方向から見て多角形状、具体的には正六角形状に形成されている（図３参照）。図３に示すように、複数の多角形筒５０は、真空紫外光の進行方向から見ると、隣り合う多角形筒５０同士が隙間なく密着して設けられている。より詳細には、複数の多角形筒５０のうち、ウェハＷの中心の上方に位置する重水素ランプ４０に対応して設けられた多角形筒５０は、正六角形の各辺が他の多角形筒５０（ウェハＷの円周上に沿って等間隔で設けられた重水素ランプ４０に対応して設けられた６個の多角形筒５０）の対向する辺と接して設けられている。また、複数の多角形筒５０のうち、ウェハＷの円周上に沿って等間隔で設けられた重水素ランプ４０に対応して設けられた６個の多角形筒５０は、１辺が中央の多角形筒５０の対向する辺と接するとともに、２辺が上記円周上で隣り合う多角形筒５０の隣り合う辺と接している。
【００４０】
また、多角形筒５０は、真空紫外光の進行方向に伸びて筒状に形成されている（図２参照）。多角形筒５０は、真空紫外光に対して反射率が低く吸収（カット）率が高いものであればどのような材質によって構成されていてもよい。反射率が低い材質とは、例えば真空紫外光の反射率が９０％以下、例えば６０％以下の材質をいう。具体的には、多角形筒５０の材質としては、ＳＵＳ又はアルミ等の基材の表面に反射率を低減させる有機膜を塗布したもの、上述した基材の表面に凸凹面を形成するためのブラスト処理、粗面化処理を施したもの等を用いることができる。なお、粗面化処理とは、例えば基材であるアルミに対して行うアルマイト処理等である。真空雰囲気であることを考慮すると上述したＳＵＳ又はアルミ等の金属を基材としてもよいが、低アウトガスの樹脂材料等を基材として用いてもよい。多角形筒５０は光源４１の直下からウェハＷの照射面に近接する位置まで伸びている。このように、重水素ランプ４０の直下に設けられた多角形筒５０がウェハＷの照射面に近接する位置まで伸びていることにより、各重水素ランプ４０から照射される真空紫外光は、光源４１からウェハＷの照射面に到達するまで対応する多角形筒５０内を通過することとなり、ウェハＷにおける照射範囲は、多角形筒５０の形状（図３参照）に応じた範囲となる。上述したように、複数の多角形筒５０は連続している（隙間なく密着している）ため、互いに隣り合う多角形筒５０を通過した真空紫外光のウェハＷにおける照射範囲は互いに連続するとともに重複していない（あるいは、重複範囲が小さい）。
【００４１】
なお、多角形筒５０は、重水素ランプ４０の光源４１から出射された真空紫外光の強度が弱い部分（中心から離れた部分）が遮光可能となるように、形状が決定されてもよい。多角形筒５０は、例えば最も強度が強い部分の７０〜８０％、例えば９０％以上の強度を担保できる部分以外の光が遮光されるように、形状が決定される。
【００４２】
［作用効果］
上述したように、本実施形態に係る基板処理装置１の光照射装置４は、波長が２００ｎｍ以下であって光源４１を頂点とした円錐状の光路をとる真空紫外光をウェハＷに向けて照射する複数の重水素ランプ４０と、複数の重水素ランプ４０から照射される真空紫外光の照射範囲の重なり部分を遮光するように、各重水素ランプ４０に対応して設けられた多角形筒５０と、を備え、多角形筒５０は、真空紫外光の進行方向から見て多角形状に形成されている。
【００４３】
従来、ウェハＷにおける照射範囲が円形となる複数の点光源からウェハＷに光が照射される場合には、ウェハＷの照射面に均一に光を照射することが困難であった。このことについて、比較例に係る光照射装置の説明図である図４（ａ）及び図４（ｂ）を参照して説明する。図４（ａ）は、複数の重水素ランプ４０が設けられた光照射装置を模式的に示している。図４（ｂ）は、図４（ａ）に示す光照射装置の照射強度を示しており、具体的には、破線は各重水素ランプ４０の照射強度を示しており、実線は隣り合う重水素ランプ４０の合計の照射強度を示している。図４（ａ）及び図４（ｂ）に示すように、各光の照射範囲が極力重ならないように重水素ランプ４０が配置された場合（図４（ａ）中に示す中央の重水素ランプ４０及び右側の重水素ランプ４０を参照）には、照射範囲が円形であることから光の照射強度が弱くなる部分Ｅ２（図４（ｂ）参照）が生じてしまう。一方で、照射強度が弱くなる部分Ｅ２が生じないようにするためには、各点重水素ランプ４０から照射される光の照射範囲を十分に重ねる（図４（ａ）に示す中央の重水素ランプ４０及び左側の重水素ランプ４０を参照）必要があり、この場合には重なる部分Ｅ１（図４（ｂ）参照）の照射強度が極端に強くなることが問題となる。このように、従来、ウェハＷに対して複数の光源から光を照射する構成においては、ウェハＷの照射面に均一に光を照射することが困難であった。
【００４４】
この点、本実施形態に係る光照射装置４では、円錐状の光路をとってウェハＷに向けて照射される複数の真空紫外光の重なり部分が、各重水素ランプ４０に対応して設けられた多角形筒５０によって遮光されている。これにより、ウェハＷにおける各真空紫外光の照射範囲が多角形状となる。照射範囲が図４に示す比較例のように円形ではなく、多角形状（具体的には正六角形状）となることにより、隣り合う多角形筒５０を通過した真空紫外光の照射範囲を互いに連続させるとともに重複させない（あるいは重複範囲を小さくする）ことが可能となる。すなわち、本実施形態の光照射装置４によれば、ウェハＷの照射面における光照射分布の均一性を向上させることができる。
【００４５】
上述した多角形筒５０は、真空紫外光の進行方向に延びて筒状に形成されている。重水素ランプ４０に対応して設けられた多角形筒５０が高さ方向（真空紫外光の進行方向）に伸びて筒状に形成されていることにより、当該多角形筒５０が対応する重水素ランプ４０以外の重水素ランプ４０（例えば隣の重水素ランプ４０）からの真空紫外光の影響を適切に排除することができる。すなわち、他の重水素ランプ４０の真空紫外光と照射範囲が重なることを適切に防止し、ウェハＷの照射面における光照射分布の均一性をより向上させることができる。
【００４６】
また、上述した光照射装置４は、重水素ランプ４０を光照射部として用いることにより、波長が２００ｎｍ以下の真空紫外光に加えて、波長が２００ｎｍよりも大きい近紫外光についてもウェハＷに対して照射することができる。このように、重水素ランプ４０から照射される光のスペクトルの波長域は比較的広いため、例えばウェハＷの表面にレジストパターンが形成されている場合において、当該レジストパターンは様々な波長の光のエネルギーを受けることとなる。これにより、レジストパターンの表面においては様々な反応が起こることによって流動性が高くなり、その結果、当該表面の荒れの改善効果を向上させることができる。
【００４７】
また、上述した重水素ランプ４０は、波長が１６０ｎｍ以下の真空紫外光を発生させる。重水素ランプ４０では、例えば１６０ｎｍ以下が連続スペクトルのピークの波長となるため、当該１６０ｎｍ以下の真空紫外光を発生させることによって、例えばウェハＷの表面にレジストパターンが形成されている場合において、表面の荒れの改善効果をより向上させることができる。
【００４８】
［変形例］
以上、本発明の一実施形態について説明したが、本発明は上記実施形態に限定されるものではない。例えば、図５に示すように、複数の光照射部のうち一部の重水素ランプ４０ｘから照射される真空紫外光の照度値が、他の重水素ランプ４０から照射される真空紫外光の照度値と異なっていてもよい。図５に示す例では、重水素ランプ４０ｘから照射される真空紫外光の照度値が重水素ランプ４０から照射される真空紫外光の照度値よりも大きくされている。また、図６に示すように、複数の光照射部のうち一部の重水素ランプ４０ｙから照射される真空紫外光の光線角度が、他の重水素ランプ４０から照射される真空紫外光の光線角度と異なっていてもよい。図６に示す例では、重水素ランプ４０ｙから照射される真空紫外光の光線角度が重水素ランプ４０から照射される真空紫外光の光線角度よりも大きくされている。また、図７に示すように、複数の光照射部のうち一部の重水素ランプ４０ｚのウェハＷとの離間距離が、他の重水素ランプ４０のウェハＷとの離間距離と異なっていてもよい。図７に示す例では、重水素ランプ４０ｚのウェハＷとの離間距離が、重水素ランプ４０のウェハＷとの離間距離よりも小さくされている。このように、複数の光照射部について、照度値、光線角度、又は高さ（ウェハＷとの離間距離）を互いに異ならせることによって、照射分布を積極的に調整することができ、光照射部からの照射状況に応じて、ウェハＷの照射面における光照射分布の均一性をより向上させることができる。
【００４９】
また、光照射装置は、図８に示す離間距離調整部６０を更に備えていてもよい。離間距離調整部６０は、遮光部である多角形筒５０のウェハＷとの離間距離を調整する機構である。具体的には、離間距離調整部６０は、コントローラ（不図示）の制御に応じて多角形筒５０を昇降させることにより、多角形筒５０のウェハＷとの離間距離を調整する。上述したように、多角形筒５０は照射範囲を多角形状にすることによりウェハＷの照射面に均一に光を照射することを目的とした構成であるが、多角形筒５０が設けられることにより、当該多角形筒５０の影がウェハＷの照射面に投影されてしまい、当該影によってウェハＷの照射面における光照射分布の均一性が十分に図られないことが考えられる。この点、多角形筒５０の高さ（ウェハＷとの離間距離）が離間距離調整部６０によって調整されることにより、例えば隣り合う多角形筒５０からのウェハＷへの照射光の広がりを調整することができ、照射光を互いに重ねあうこと等により影となる部分を解消することができる。なお、離間距離調整部６０によって調整される多角形筒５０の高さは、例えば、重水素ランプ４０からの照射角、及び、ウェハＷにおける各部の照度等を事前に評価することにより決定される。
【００５０】
また、光照射装置は、図９に示すウェハ回転部７０（基板回転部）を更に備えていてもよい。ウェハ回転部７０は、ウェハＷの照射面を重水素ランプ４０に対向させた状態でウェハＷを回転させる機構である。具体的には、ウェハ回転部７０は、ウェハＷを載置する載置台２０と回転軸を介して接続されており、コントローラ（不図示）の制御に応じて回転軸を回転させることにより載置台２０及び該載置台２０に載置されたウェハＷを回転させる。ウェハＷが回転することによって、重水素ランプ４０の照射場所が変化することとなるので、ウェハＷの照射面における光照射分布の均一性をより向上させることができる。なお、光照射装置は、ウェハＷではなく、多角形筒５０及び重水素ランプ４０をウェハＷに対して回転させるものであってもよい。また、光照射装置は、多角形筒５０又はウェハＷを、ウェハＷの照射面に平行な方向（水平方向）に１０ｍｍ程度往復移動させる平行移動部を更に備えていてもよい。この場合においても、重水素ランプ４０の照射場所が変化することとなるので、ウェハＷの照射面における光照射分布の均一性をより向上させることができる。なお、照射面に平行な方向に往復移動させる態様においては、ウェハＷを回転させる態様と異なり、照射場所が変化しない部分（例えば回転中心）が生じにくいというメリットがある。例えば、複数本の多角形筒５０及び重水素ランプ４０を、ウェハＷに対して回転させると共に並行な方向にスキャン動作させることにより、ウェハＷの全面を同時に照射可能な数の重水素ランプ４０を設けなくても、ウェハＷの全面に対して真空紫外光を照射することができる。このように多角形筒５０及び重水素ランプ４０をスキャン動作等させる場合には、多角形筒５０及び重水素ランプ４０が少数（例えば１つずつ等）であってもよい。
【００５１】
また、光照射装置は、図１０に示す拡散部８０を更に備えていてもよい。拡散部８０は、多角形筒５０の上方において真空紫外光を拡散させる部材である。図１０に示す例では、拡散部８０はメッシュ状の部材であり、真空紫外光の一部を反射拡散させる機能を有する。なお、拡散部８０は真空紫外光の一部を反射拡散させるものであれば、棒状の部材等であってもよい。拡散部８０では、真空紫外光を反射拡散させる部分の面積が、真空紫外光を下方に向かって通過させる部分の面積よりも小さい。照射光は光源（ランプ）の内部電極構造に由来して強度のばらつきが存在するところ、多角形筒５０の上方に拡散部８０が設けられていることにより、照射光のばらつきが平均化され、ウェハＷの照射面における光照射分布の均一性をより向上させることができる。
【００５２】
また、多角形筒５０は真空紫外光の進行方向から見て正六角形状であるとして説明したがこれに限定されず、例えば図１１（ａ）に示すように多角形筒５０ｘが四角形状であってもよい。また、多角形筒５０の数は図３に示した例に限定されず、例えば図１１（ｂ）に示すように合計１３個の多角形筒５０ｙが設けられていてもよい。
【００５３】
また、遮光部が多角形筒５０であるとして説明したがこれに限定されず、遮光部は真空紫外光の進行方向から見て多角形状に形成されたものであれば、高さ方向に伸びる筒状の部材でなくてもよい。例えば、図１２に示されるように、遮光部は、板状に形成されたマスク２００（板状遮光部材）を有していてもよい。マスク２００は、多角形筒５０と同様に、真空紫外光の進行方向から見て多角形状に形成されている。具体的には、図１３（ａ）に示されるように、真空紫外光の進行方向から見て六角形状のマスク２００ａ又は四角形状のマスク２００ｂ等を用いることができる。マスク２００は、多角形筒５０と異なり、厚み（真空紫外光の進行方向の厚み）が小さい薄板状とされている。このようなマスク２００を設けることによっても、ウェハＷにおける各真空紫外光の照射範囲が多角形状となり、真空紫外光の照射範囲が重ならないようにしつつ光が照射されない部分（あるいは照射強度が弱くなる部分）が生じることを抑制できる。すなわち、マスク２００によれば、ウェハＷの照射面における光照射分布の均一性を向上させることができる。また、マスク２００は、上述したように薄板状とされているため、多角形筒５０を設ける場合と比較して、処理室内での真空ポンプによる排気を行いやすくすることができる。このことで、処理室内の真空引きをより適切に行うことができる。
【００５４】
また、図１４に示されるように、遮光部は、真空紫外光の進行方向に延びて筒状に形成されると共に重水素ランプ４０及びウェハＷ間においてウェハＷ寄りの位置（すなわち下方寄りの位置）に設けられた多角形筒２５０と、板状に形成されたマスク２００とを有していてもよい。多角形筒２５０は、例えば重水素ランプ４０及びウェハＷ間の全長の半分以下の長さとされる。このように、多角形筒２５０は、重水素ランプ４０及びウェハＷ間の略全域に設けられた多角形筒５０（図２参照）と比べて小型であって且つウェハＷに近い領域にのみ設けられている。マスク２００は、多角形筒２５０の下方に設けられており、より詳細には、多角形筒２５０の下端に接するように設けられている。マスク２００は、光の照射範囲を限定する観点から極力ウェハＷに近い位置に設けられていてもよいが、アームによるウェハＷの搬送が可能になる程度の距離（例えば３０ｍｍ）だけウェハＷから離間している。マスク２００は、真空紫外光の進行方向から見て、光を通す領域の大きさが多角形筒２５０よりも小さくされている。これにより、マスク２００によって真空紫外光の照射範囲を適切に限定することができる。
【００５５】
ここで、図１４の基板処理装置の基本構成についても説明する。図１４に示されるように、当該基板処理装置は、処理室２１０と、光源室２１２とを備える。処理室２１０は、筐体２１４と、回転保持部２１６と、ゲートバルブ２１８と、真空ポンプ２２２とを含む。筐体２１４は、例えば大気雰囲気中に設けられた真空容器の一部であり、図示しない搬送機構によって搬送されたウェハＷを収納可能に構成されている。筐体２１４は、上方に向けて開口された有底筒状体を呈している。筐体２１４の壁面には、貫通孔２１４ａ，２１４ｃが設けられている。
【００５６】
回転保持部２１６は、回転部２１６ａと、シャフト２１６ｂと、保持部２１６ｃとを有する。回転部２１６ａは、コントローラ（不図示）からの動作信号に基づいて動作し、シャフト２１６ｂを回転させる。回転部２１６ａは、例えば電動モータ等の動力源である。保持部２１６ｃは、シャフト２１６ｂの先端部に設けられている。保持部２１６ｃは、ウェハＷの姿勢が略水平の状態でウェハＷを保持可能である。保持部２１６ｃにウェハＷが載置された状態で回転部２１６ａが回転すると、ウェハＷは、その表面に対して垂直な軸（回転軸）周りで回転する。
【００５７】
ゲートバルブ２１８は、筐体２１４の側壁の外表面に配置されている。ゲートバルブ２１８は、コントローラ（不図示）の指示に基づいて動作し、筐体２１４の貫通孔２１４ａを閉鎖及び開放するように構成されている。ゲートバルブ２１８によって貫通孔２１４ａが開放されている場合、筐体２１４に対してウェハＷを搬入出可能である。すなわち、貫通孔２１４ａはウェハＷの出入口としても機能する。
【００５８】
真空ポンプ２２２は、筐体２１４内から気体を排出して、筐体２１４内を真空状態（低酸素状態）とするように構成されている。
【００５９】
光源室２１２は、筐体２２４と、仕切壁２２６と、シャッタ部材２２８と、複数の重水素ランプ４０とを含む。
【００６０】
筐体２２４は、例えば大気雰囲気中に設けられた真空容器の一部である。筐体２２４は、下方に向けて開口された有底筒状体を呈している。筐体２２４は、筐体２２４の開放端が筐体２１４の開放端に向かい合うように配置されている。
【００６１】
仕切壁２２６は、筐体２１４，２２４の間に配置されており、筐体２１４内の空間と筐体２２４内の空間とを仕切るように構成されている。換言すれば、仕切壁２２６は、筐体２１４の天壁として機能すると共に、筐体２２４の底壁として機能する。すなわち、筐体２２４は、ウェハＷの表面に垂直な方向において、筐体２１４と隣り合うように配置されている。仕切壁２２６によって仕切られた後の筐体２２４内の空間Ｖは、垂直方向における高さが水平方向におけるサイズと比較して小さい偏平空間となっている。
【００６２】
仕切壁２２６には、複数の貫通孔２２６ａが設けられている。複数の貫通孔２２６ａは、垂直方向においてシャッタ部材２２８と重なり合うように配置されている。複数の貫通孔２２６ａはそれぞれ、真空紫外光が透過可能な窓部材によって塞がれている。窓部材は、例えば、ガラス（例えば、フッ化マグネシウムガラス）であってもよい。
【００６３】
シャッタ部材２２８は、空間Ｖ内に配置されており、重水素ランプ４０が照射する真空紫外光を遮断及び通過可能に構成されている。シャッタ部材２２８は、例えば円板状を呈している。シャッタ部材２２８には、複数の貫通孔が設けられている。
【００６４】
上述したような多角形筒２５０及びマスク２００を組み合わせて用いることにより、多角形筒２５０によって真空紫外光の照射範囲が重なることを適切に抑制しつつ、多角形筒２５０の下方に設けられたマスク２００によって真空紫外光の照射範囲を適切に限定することができる。また、マスク２００を用いることによって、多角形筒２５０の長さを短くすることができ、真空ポンプ２２２による排気を適切に行い処理室２１０内の真空引きを適切に行うことができる。また、マスク２００が多角形筒２５０の下端に接するように設けられていることにより、多角形筒２５０とマスク２００との間から真空紫外光が漏れ出すことを抑制し、真空紫外光の照射範囲が重なることを適切に抑制することができる。なお、下方に設けられた小型の多角形筒２５０のみによって（すなわちマスク２００を設けずに）遮光部が形成されていてもよい。
【００６５】
なお、図１５に示されるように、マスク２００は多角形筒２５０の下端から離間するように設けられていてもよい。これにより、真空ポンプ２２２による排気が行いやすくなり、真空ポンプ２２２による真空引きをより適切に行うことができる。図１５の構成では、真空紫外光の進行方向から見て、マスク２００及び多角形筒５０の光を通す領域の大きさが同程度とされてもよい。なお、真空引きを容易に行う観点から、多角形筒５０に一又は複数の孔が設けられていてもよい。
【符号の説明】
【００６６】
４…光照射装置、４０，４０ｘ，４０ｙ，４０ｚ…重水素ランプ（光照射部）、４１…光源、５０，５０ｘ，５０ｙ…多角形筒（遮光部、筒状遮光部材）、６０…離間距離調整部、７０…ウェハ回転部（基板回転部）、８０…拡散部、２００…マスク（遮光部、板状遮光部材）、Ｗ…ウェハ。
【図１】
2019131144.tif 000003
【図２】
2019131144.tif 000004
【図３】
2019131144.tif 000005
【図４】
2019131144.tif 000006
【図５】
2019131144.tif 000007
【図６】
2019131144.tif 000008
【図７】
2019131144.tif 000009
【図８】
2019131144.tif 000010
【図９】
2019131144.tif 000011
【図１０】
2019131144.tif 000012
【図１１】
2019131144.tif 000013
【図１２】
2019131144.tif 000014
【図１３】
2019131144.tif 000015
【図１４】
2019131144.tif 000016
【図１５】
2019131144.tif 000017
【国際調査報告】
2019131144.tif 000018
2019131144.tif 000019
2019131144.tif 000020
2019131144.tif 000021